(57)【要約】  【課題】  非動作中に外力の作用により生じる光ディスクと光ピックアップとの衝突を防止し、この衝突に起因する光ディスク及び光ピックアップの損傷の発生を有効に回避させ得る光ディスク装置を提供する。【解決手段】  回転スピンドル２の回転により軸心回りに回転する光ディスクＤの一面に沿って架設されたガイドレール30により案内されて移動する光ピックアップ３の移動経路上に、光ピックアップ３の対物レンズ33が光ディスクＤの記録領域から外れる待機位置を設定し、この待機位置に光ピックアップ３が移動したとき、光ピックアップ３に設けた係合突起50がハウジング１の底面に取り付けた板ばね51を乗り越え、この板ばね51に弾性係合して、光ピックアップ３の移動を規制するように構成する。【選択図】        図１
2005259203.tif 000002
【特許請求の範囲】
【請求項１】
軸心回りに回転する光ディスクの一面に沿って径方向に移動する光ピックアップをハウジングの内部に備え、前記光ピックアップから対物レンズを経て出射される光を前記一面の内外径間に設定された記録領域に照射して情報の記録又は再生を行う光ディスク装置において、
前記光ピックアップの移動経路に、前記対物レンズが前記記録領域から外れる待機位置を設定し、該待機位置に移動した光ピックアップの移動を規制するロック手段を備えることを特徴とする光ディスク装置。
【請求項２】
所定のロック条件が満たされたとき、前記ロック手段によるロック状態を得るべく前記光ピックアップを前記待機位置に強制移動させるピックアップ制御手段を備える請求項１記載の光ディスク装置。
【請求項３】
前記ロック手段は、前記ハウジング又は光ピックアップの一部に設けられ、該光ピックアップが前記待機位置に移動したとき、該光ピックアップ又は前記ハウジングの一部に弾性係合する弾性係合部材を備える請求項１又は請求項２記載の光ディスク装置。
【請求項４】
前記ロック手段は、前記ハウジング又は光ピックアップの一部に取り付けられたソレノイドと、前記光ピックアップが前記待機位置に移動したとき、前記ソレノイドの動作に応じて進出し、該光ピックアップ又は前記ハウジングの一部に係合する係合片とを備える請求項１又は請求項２記載の光ディスク装置。
【請求項５】
前記係合片は、前記ソレノイドの非通電時に進出する構成としてある請求項４記載の光ディスク装置。
【請求項６】
前記待機位置は、前記光ディスクの外径側に前記記録領域を外して設定してある請求項１乃至請求項５のいずれか１つに記載の光ディスク装置。
【請求項７】
前記待機位置は、前記光ディスクの内径側に前記記録領域を外して設定してある請求項１乃至請求項５のいずれか１つに記載の光ディスク装置。
【発明の詳細な説明】
【技術分野】
【０００１】
本発明は、ＤＶＤ（Digital Video Disc），ＣＤ（Compact Disc）等の光ディスクへの情報の記録、又は光ディスクの記録情報の再生を行わせるための光ディスク装置に関し、特に、可搬機器又は移動機器に搭載される光ディスク装置に関する。
【背景技術】
【０００２】
光ディスクは、一面の内外径間に設定された記録領域内に情報を記録する記録媒体であり、記録容量が大きいことから、近年、種々の機器に採用されており、ビデオカメラ、ノートパソコン、ＰＤＡ（Personal Digital Assistant）等の可搬機器、又は、カーナビゲーション装置等の移動機器における記録媒体としても採用されるようになっている。
【０００３】
このような光ディスクを記録媒体として使用する機器には、情報の記録又は再生のための光ディスク装置が搭載される。この光ディスク装置は、同軸上に装着された光ディスクを軸回りに回転させる回転スピンドルと、該回転スピンドルと共に回転する光ディスクの一面に沿って径方向に移動する光ピックアップとを備え、該光ピックアップからの出射光を対物レンズにより集光し、前記一面に設定された記録領域にスポット照射し、この照射光の作用により前記記録面に情報を記録し、また前記記録面からの反射光の受光結果に基づいて記録情報を再生する構成となっている。
【０００４】
このような光ディスク装置の光ピックアップは、記録又は再生動作中には、公知のフォーカス制御及びトラッキング制御により、光ディスクの記録面に対する相対位置を正しく保たれているが、これらの制御が実施されない非動作中には、自由に動ける状態にあるため、特に、前述した可搬機器又は移動機器に採用された場合、振動、衝撃等の外力の作用により種々の不具合を生じる虞れがあり、この不具合を解消するため、従来から、非使用中の光ピックアップの移動を規制する構造を備える光ディスク装置が提案されている（例えば、特許文献１参照）。
【０００５】
この光ディスク装置は、光ピックアップを搭載するキャリッジと移動ガイドを兼ねるねじ軸とを、該ねじ軸の軸長方向に延びる弾性腕を介してキャリッジに支持された半円筒形のねじ筒を螺合せしめて連結してなり、外力の作用によるねじ軸の軸方向に生じる光ピックアップの移動を、前記弾性腕の弾性により吸収して規制する構成となっている。
【特許文献１】特開２００１−７６４４６号公報
【発明の開示】
【発明が解決しようとする課題】
【０００６】
一方、近年の光ディスク装置においては、記録密度の上昇に対応すべく記録面への照射光の小スポット化が要求されており、このために、対物レンズのＮＡ（開口比）を大きくし、記録面と対物レンズとの間のエアギャップ、所謂、ワーキングディスタンスを小さくして対応しており、近年では、１mm以下の微小なワーキングディスタンスが設定された光ディスク装置が実用化されている。
【０００７】
このような微小なワーキングディスタンスが設定された光ディスク装置を前述した可搬機器又は移動機器に採用した場合、非動作中の外力の作用により光ピックアップと光ディスクとが位置変動し、両者が衝突して、光ピックアップの対物レンズの周辺、及び光ディスクの記録面が損傷するという問題があり、顕著な損傷が生じた場合、その後の記録又は再生動作に支障を来す虞れさえあった。
【０００８】
このような位置変動は、光ディスクの厚さ方向、即ち、光ピックアップの移動方向と直交する方向に生じる変動であり、前記特許文献１に開示された構成により防ぐことはできず、また、このような問題に着目した光ディスク装置は存在しない。
【０００９】
本発明は斯かる事情に鑑みてなされたものであり、非動作中に外力の作用により生じる光ディスクと光ピックアップとの衝突を防止し、この衝突に起因する光ディスク及び光ピックアップの損傷の発生を有効に回避することができ、特に、可搬機器又は移動機器に好適に採用し得る光ディスク装置を提供することを目的とする。
【課題を解決するための手段】
【００１０】
本発明に係る光ディスク装置は、軸心回りに回転する光ディスクの一面に沿って径方向に移動する光ピックアップをハウジングの内部に備え、前記光ピックアップから対物レンズを経て出射される光を前記一面の内外径間に設定された記録領域に照射して情報の記録又は再生を行う光ディスク装置において、前記光ピックアップの移動経路に、前記対物レンズが前記記録領域から外れる待機位置を設定し、該待機位置に移動した光ピックアップの移動を規制するロック手段を備えることを特徴とする。
【００１１】
本発明においては、記録又は再生動作中ではない非動作中の光ピックアップを、光ディスクの記録領域から対物レンズが外れるように設定された待機位置に移動させ、該待機位置にてロック手段の動作により移動を規制して、光ディスクと光ピックアップとの衝突を防止し、この衝突に起因する光ディスク及び光ピックアップの損傷の発生を有効に回避する。
【００１２】
また本発明に係る光ディスク装置は、所定のロック条件が満たされたとき、前記ロック手段によるロック状態を得るべく前記光ピックアップを前記待機位置に強制移動させるピックアップ制御手段を備えることを特徴とする。
【００１３】
この発明においては、ロック条件が満たされたときに光ピックアップを待機位置に強制移動させ、該光ピックアップにロック手段を作用させて、光ディスクとの衝突を確実に防止する。ロック条件は、電源のオフ操作、記録又は再生動作の休止等、非動作中となること、又は非動作中であることが明らかである条件としておけばよい。
【００１４】
また本発明に係る光ディスク装置は、前記ロック手段が、前記ハウジング又は光ピックアップの一部に設けられ、該光ピックアップが前記待機位置に移動したとき、該光ピックアップ又は前記ハウジングの一部に弾性係合する弾性係合部材を備えることを特徴とする。
【００１５】
この発明においては、光ピックアップが待機位置に移動するとき、ハウジング又は光ピックアップの一部に設けた弾性係合部材が、光ピックアップ又はハウジングの作用により弾性変形し、所定の部位に達した段階で弾性復帰して弾性係合して光ピックアップの移動を規制する。
【００１６】
また本発明に係る光ディスク装置は、前記ロック手段が、前記ハウジング又は光ピックアップの一部に取り付けられたソレノイドと、前記光ピックアップが前記待機位置に移動したとき、前記ソレノイドの動作に応じて進出し、該光ピックアップ又は前記ハウジングの一部に係合する係合片とを備えることを特徴とし、更に、前記係合片が、前記ソレノイドの非通電時に進出する構成としてあることを特徴とする。
【００１７】
この発明においては、光ピックアップが待機位置に移動した状態でハウジング又は光ピックアップの一部に取り付けられたソレノイドの動作により係合片が進出し、光ピックアップ又はハウジングの一部に係合して光ピックアップの移動を規制する。また係合片の進出をソレノイドの非通電時に行わせて、ロック状態の維持に必要な電力を軽減する。
【００１８】
また本発明に係る光ディスク装置は、前記待機位置が、前記光ディスクの外径側に前記記録領域を外して設定してあることを特徴とし、更には、前記待機位置が、前記光ディスクの内径側に前記記録領域を外して設定してあることを特徴とする。
【００１９】
この発明においては、光ディスクの記録領域を外径側に外して待機位置を設定し、対物レンズが光ディスクと対面しない状態で光ピックアップをロックして、光ピックアップ及び光ディスクの衝突を略完全に防止する。一方、光ディスクの記録領域を、光ディスクの面振れが小さい内径側に外して待機位置を設定し、この待機位置にロックされた光ピックアップと光ディスクとの衝突の虞れを軽減すると共に、ロック解除後の記録領域へのアクセスを容易化する。
【発明の効果】
【００２０】
本発明に係る光ディスク装置においては、光ピックアップの対物レンズが光ディスクの記録領域から外れた待機位置に移動してロックされるから、非動作時の外力の作用による対物レンズと光ディスクとの衝突、少なくとも記録領域との衝突を確実に防止することができ、記録又は再生動作に支障を来す虞れを回避することができ、可搬機器又は移動機器用の光ディスク装置として好適に用いることができる。
【００２１】
また、所定のロック条件が満たされたときに光ピックアップを待機位置に強制移動させるから、非動作中の光ピックアップを誤りなく移動規制することができ、光ピックアップと光ディスクとの衝突を確実に防止することが可能となる。
【００２２】
また、ハウジング又は光ピックアップの一部に設けた弾性係合部材によりロック手段を構成したから、簡素な構成により光ピックアップを移動規制することができる。
【００２３】
また、ソレノイドの動作により進出する係合片を光ピックアップ又はハウジングの一部に係合させてロック状態を実現したから、光ピックアップを確実に移動規制することが可能となり、更に、ソレノイドの非通電により係合片が進出する構成としたから、ロック状態が継続する間の電力消費を軽減することができる。
【００２４】
更に、光ディスクの記録領域を外径側に外して待機位置を設定したから、ロック状態にある光ピックアップと光ディスクの衝突を略完全に防止することができる。一方、光ディスクの記録領域を内径側に外して待機位置を設定したから、光ピックアップが光ディスクの面振れが小さい位置にてロックされ、両者の衝突を有効に回避することができると共に、ロック解除後の記録領域へのアクセス時間が短縮される等、本発明は優れた効果を奏する。
【発明を実施するための最良の形態】
【００２５】
以下本発明をその実施の形態を示す図面に基づいて詳述する。図１は、本発明の第１の実施の形態を示す光ディスク装置の要部の模式図である。
【００２６】
本図に示す光ディスク装置は、図中に一部のみを示すハウジング１の内部に、回転スピンドル２及び光ピックアップ３を備えている。回転スピンドル２は、ハウジング１の底面上に固定支持されたスピンドルモータ20の出力端に同軸的に固設され、該スピンドルモータ20からの伝動により回転するようになしてある。回転スピンドル２の上部には、光ディスクＤを着脱自在に装着するための着脱部21が設けてあり、光ディスクＤは、内外径間の所定範囲に記録領域が設けられた一面（記録面）を下向きとして着脱部21に同軸的に装着され、回転スピンドル２と一体に回転するようになしてある。
【００２７】
回転スピンドル２に装着された光ディスクＤの下部には、該光ディスクＤの記録面と平行をなして延びるガイドレール30が架設されている。光ピックアップ３は、このガイドレール30に沿って移動自在に支持されており、ハウジング１の内部に備えられたピックアップモータ31からの伝動により、ガイドレール30による案内下にて光ディスクＤの径方向に移動せしめられる。
【００２８】
光ピックアップ３は、ガイドレール30に支持されたキャリッジの上部に、記録又は再生用のレーザ光の発光部と、光ディスクＤからの反射光を受光する受光部と、前記発光部からの出射光を光ディスクＤの記録面に導き、また光ディスクＤからの反射光を前記受光部に導く光学系とを備える公知の構成を有しており、光ディスクＤへの対向側に向けて突設されたレンズホルダ32を備え、該レンズホルダ32の端部に、光ディスクＤの記録面に正対し、前記光学系に含まれる対物レンズ33を備えている。
【００２９】
以上の構成により、光ディスクＤへの情報の記録は、ピックアップモータ31の動作により光ピックアップ３を移動させ、該光ピックアップ３から出射される記録用のレーザ光を対物レンズ33により集光し、光ディスクＤの記録面の径方向に並設された記録トラック上にスポット照射せしめて行われ、また光ディスクＤに記録された情報の読み出しは、ピックアップモータ31の動作により光ピックアップ３を移動させ、該光ピックアップ３から出射される再生用のレーザ光を対物レンズ33を経て記録トラック上にスポット照射し、照射位置からの反射光を対物レンズ33を含む光学系を経て受光部に導き、該受光部に受光せしめて行われる。
【００３０】
以上の記録動作又は再生動作は、マイクロプロセッサを用いてなる制御部４によりなされ、ピックアップモータ31を制御対象とし、所望の記録トラック上に光スポットを位置決めするためのトラッキング制御と、対物レンズ33を光ディスクＤに接離させる図示しないアクチュエータを制御対象とし、記録トラック上に集光される光スポットの大きさを適正に保つフォーカス制御とに従って実行される。これらの制御動作は、光ディスク装置において従来から行われているものであり、詳細な説明は省略する。
【００３１】
以上の如く構成された光ディスク装置において、光ピックアップ３を移動案内するガイドレール30は、図１に示す如く、光ディスクＤの外径側に延長されており、この延長部には、記録又は再生動作中でない光ピックアップ３を位置させるための待機位置が設定されている。この待機位置は、ガイドレール30に沿って移動する光ピックアップ３が、図中に２点鎖線により示す如く配置されたとき、上部のレンズホルダ32に保持された対物レンズ33が、光ディスクＤの外周縁よりも外側、即ち、光ディスクＤの記録領域よりも外側に外れて位置するように設定されている。
【００３２】
また光ピックアップ３は、前述した移動経路と略平行をなす一面（図においては下面）の適宜位置に突設された係合突起50を備え、また、ハウジング１の底面には、光ピックアップ３の移動経路上にて前記係合突起50の突設面と対向する位置に、山形の屈曲形状を有する板ばね（弾性係合部材）51が取り付けられており、この板ばね51と前記係合突起50とによりロック手段が構成されている。ハウジング１の底面上での板ばね51の取り付け位置は、前述した待機位置に光ピックアップ３が移動したとき、該光ピックアップ３に突設された係合突起50が、図中に２点鎖線に示す如く移動側に乗り越えて係合可能な位置に設定されている。
【００３３】
このような係合が生じた場合、光ピックアップ３を逆方向（光ディスクＤの内径側）に移動させるためには、係合突起50が板ばね51を、該板ばね51の弾性変形を伴って乗り越え得る外力の付加が必要であり、待機位置に移動した光ピックアップ３は、係合突起50及び板ばね51を備えるロック手段の動作により、光ディスクＤの内径側への移動が規制された状態にロックされる。
【００３４】
前述の如く待機位置は、光ピックアップ３の対物レンズ33が光ディスクＤの外周縁よりも外側に位置するように設定されており、前述したロック状態が実現された非動作中の光ディスク装置に対し、振動、衝撃等の外力が加わり、光ディスクＤの面振れ、光ピックアップ３の上下変位等の位置変動が生じて、光ディスクＤと光ピックアップ３とが、光ディスクＤの厚さ方向に相対変位した場合においても、光ピックアップ３の対物レンズ33が光ディスクＤに衝突する虞れはなく、この衝突に伴う対物レンズ33又は光ディスクＤの記録領域の損傷を有効に防止することができる。従って、以上の如きロック手段を備える光ディスク装置は、可搬機器、移動機器等、非使用状態において振動及び衝撃が加えられる虞れの高い機器に用いた場合、可搬又は移動中における光ディスクＤ及び光ピックアップ３の損傷の発生を未然に防止することが可能となる。
【００３５】
光ピックアップ３のロック状態は、該光ピックアップ３を待機位置にまで強制移動させることにより実現されるから、例えば、光ディスク装置の電源をオフする操作がなされたとき、制御部４からの動作指令によりピックアップモータ31を駆動し、光ピックアップ３を待機位置に強制移動させた後に電源をオフするような制御動作を行わせることにより、前述した損傷の発生を確実に防止することが可能となる。同様の強制移動は、記録又は再生動作の休止が所定時間継続したことを条件として行わせることも可能であり、これにより、電源のオフ操作がなされないままになされる可搬又は移動中における前記損傷の発生を防止することができる。
【００３６】
図２は、本発明の第２の実施の形態を示す光ディスク装置の要部の模式図である。本図に示す光ディスク装置においては、光ピックアップ３を移動案内するガイドレール30が、光ディスクＤの内径側に延長され、この延長部に待機位置が設定されている。この待機位置は、ガイドレール30に沿って移動する光ピックアップ３が、図中に２点鎖線により示す如く配置されたとき、上部のレンズホルダ32に保持された対物レンズ33が、光ディスクＤの記録領域よりも内側に外れて位置するように設定されている。
【００３７】
また図１に示す光ディスク装置と同様、光ピックアップ３は、その移動経路と略平行をなす一面の適宜位置に突設された係合突起50を備え、また、ハウジング１の底面に山形の屈曲形状を有する板ばね51が取り付けられており、この板ばね51と前記係合突起50とによりロック手段が構成されているが、図１に示す光ディスク装置とは異なり、ハウジング１の底面上での板ばね51の取り付け位置は、光ディスクＤの内径側に設定された待機位置に移動した光ピックアップ３の係合突起50と係合可能な位置、即ち、回転スピンドル２に装着された光ディスク３の内径側に対面する位置に設定されている。なお、他の部分の構成は、図１に示す光ディスク装置と同様であり、対応する構成部材に図１と同一の参照符号を付して詳細な説明を省略する。
【００３８】
以上の如く構成された光ディスク装置においては、非動作中の光ピックアップ３を待機位置に移動させることにより、係合突起50及び板ばね51を備えるロック手段の動作により光ディスクＤの外径側への移動が規制された状態にロックされ、振動、衝撃等の外力が加わった場合における対物レンズ33と光ディスクＤの衝突が回避される。
【００３９】
なおこの実施の形態において、待機位置にある光ピックアップ３の対物レンズ33は、光ディスクＤの内径近傍に対向しているが、この対向部は、光ディスクＤの面振れによる振幅が小さい部分であり、衝突、及びこの衝突による対物レンズ33の損傷の発生の虞れは軽微に抑えられる。また、前記対向部は光ディスクＤの記録領域よりも内側であり、前記衝突が生じた場合においても、記録領域に損傷を及ぼす虞れはない。
【００４０】
更にこの実施の形態においては、光ディスクＤの内径側に待機位置が設定されていることから、第１の実施の形態に比較して、光ディスク装置の小サイズ化が可能となるという利点がある。また記録又は再生動作の再開時に、最初にアクセスすべき記録領域の内径側に近く、アクセス時間の短縮に寄与し得るという利点もある。
【００４１】
一方、待機位置が光ディスクＤの外径側に設定された第１の実施の形態においては、対物レンズ33と光ディスクＤとの衝突、及びこの衝突による損傷の発生を、より確実に防止し得るという利点がある。
【００４２】
なお、図１及び図２に示す光ディスク装置においては、ロック手段を構成する係合突起51を光ピックアップ３の下面に設けてあるが、該係合突起51の突設位置は、前述の如く、光ピックアップ３の移動経路に沿う面であればよく、上面又は両側面に係合突起51を設けることも可能である。また、光ピックアップ３側に設けた係合突起50とハウジング１側に設けた板ばね51とによりロック手段を構成してあるが、逆に、ハウジング１側に設けた係合突起と光ピックアップ３側に設けた板ばねとによりロック手段を構成してもよい。
【００４３】
更に、弾性係合部材としての板ばね51は、待機位置に移動する光ピックアップ３の係合突起51と弾性係合可能なものであれば適宜の構成にて実現することができ、例えば、コイルばねにより付勢されたボールを備えるボールプランジャを板ばね51に代えて用いることもできる。
【００４４】
図３は、本発明の第３の実施の形態を示す光ディスク装置の要部の模式図である。本図に示す光ディスク装置においては、第１の実施の形態と同様、光ピックアップ３の待機位置が、光ディスクＤの記録領域を外径側に外した位置に設定されているが、第２の実施の形態と同様、光ディスクＤの記録領域を内径側に外して待機位置を設定し得ることは言うまでもない。
【００４５】
この実施の形態の第１，第２の実施の形態との相違は、待機位置に移動した光ピックアップ３の移動を規制するロック手段の構成にある。このロック手段は、光ピックアップ３の下面に凹設された係合凹部52と、ハウジング１の底面に、光ピックアップ３の移動経路上にて前記係合凹部52と対向するように取り付けられたロックソレノイド53とを備え、図中に２点鎖線に示す如く、光ピックアップ３が待機位置に移動したとき、前記ロックソレノイド53の動作により上方に向けて進出する係合片54が前記係合凹部52内に挿入されて係合し、光ピックアップ３の移動を規制するように構成されている。なお、他の部分の構成は、図１，２に示す光ディスク装置と同様であり、対応する構成部材に図１，２と同一の参照符号を付して詳細な説明を省略する。
【００４６】
この光ディスク装置においては、待機位置に移動した光ピックアップ３のロック状態が、ロックソレノイド53の退入動作がなされるまでは確実に維持されるから、非動作中の外力の作用による対物レンズ53と光ディスクＤとの衝突を、より確実に防止することができる。ロックソレノイド53の進退動作は、制御部４から与えられる動作指令に従って行われる。
【００４７】
図４は、ロック状態を得るべく行われる制御部４の制御動作の内容を示すフローチャートである。この制御動作は、記録又は再生のための制御動作が実行されない光ディスク装置の非動作中において、適宜のタイミング毎の割込み処理として実行され、まず制御部４は、ロック条件を満たすか否かを判定し（ステップ１）、ロック条件を満たすと判定された場合、ピックアップモータ31に動作指令を発して光ピックアップ３を待機位置にまで強制移動させ（ステップ２）、次いで、ロックソレノイド53に動作指令を発して進出動作させ（ステップ３）、出力端の係合片54を係合凹部52に係合させて光ピックアップ３をロックし、一連の動作を終える。
【００４８】
ステップ１におけるロック条件は、前述の如く、電源のオフ操作がなされること、記録又は再生動作の休止時間が所定時間を超えること等の条件であればよく、ロック条件が満たされない場合、制御部４は、何らの制御動作も行うことなく次の制御タイミングまで待機する。またステップ３における進出動作は、ロックソレノイド53の非励磁により実現するのが好ましい。これにより、長時間を占める非動作中においてロック状態を維持するための電力が不要となり、光ディスク装置全体の省エネルギを図ることができる。なお、以上の如きロック状態の解除は、制御部４からの動作指令によりロックソレノイド53を退入動作させて実現される。
【００４９】
この実施の形態においても、係合凹部52に代えて第１，第２の実施の形態と同様の係合突起を設け、この係合突起にロックソレノイド53の係合片54を係合させる構成としてもよい。逆に、第１，第２の実施の形態において、係合突起51に代えて、第３の実施の形態と同様の係合凹部を設け、この係合凹部に板ばね50を係合させる構成としてもよい。更に、図３中に２点鎖線により示す如く、ロックソレノイド53の取り付け位置を設定し、該ロックソレノイド53の動作により進出する係合片54を光ピックアップ３の端面に係合させてロック状態を得るようにしてもよい。このような端面への係合もまた、第１，第２の実施の形態にも適用可能である。
【００５０】
光ピックアップをロックするロック手段は、以上の実施の形態に示す構成に限らず適宜の構成にて実現することができ、例えば、磁石の吸着力を利用して光ピックアップ３の移動を規制する構成としてもよく、また、ブレーキ付きのモータをピックアップモータ31として用い、前記ブレーキの動作によりロック状態を得るように構成してもよい。
【図面の簡単な説明】
【００５１】
【図１】本発明の第１の実施の形態を示す光ディスク装置の要部の模式図である。
【図２】本発明の第２の実施の形態を示す光ディスク装置の要部の模式図である。
【図３】本発明の第３の実施の形態を示す光ディスク装置の要部の模式図である。
【図４】図３に示す光ディスク装置においてロック状態を得るべく行われる制御動作の内容を示すフローチャートである。
【符号の説明】
【００５２】
１    ハウジング
３    光ピックアップ
４    制御部
33    対物レンズ
50    係合突起
51    板ばね
52    係合凹部
53    ロックソレノイド
54    係合片
【図１】
2005259203.tif 000003
【図２】
2005259203.tif 000004
【図３】
2005259203.tif 000005
【図４】
2005259203.tif 000006